(57)【特許請求の範囲】
【請求項１】
内装材との間にクリアランスを存して配設される窓用額縁を、取付金具を介して駆体開口部の内側に添設状態に取り付ける窓用額縁の取付構造において、
前記取付金具は、前記クリアランス内に収まる突出寸法の掛止め部を有して前記窓用額縁に設けられる額縁側ピースと、前記掛止め部に対応する掛止受け部を有して前記駆体開口部に設けられる開口部側ピースとを有し、
前記掛止受け部に対し前記掛止め部は、見付け方向に掛止めされ且つ見込み方向にスライド自在に係合していることを特徴とする窓用額縁の取付構造。
【請求項２】
前記窓用額縁は、形材で構成され、
前記額縁側ピースは、前記窓用額縁に一体に形成されていることを特徴とする請求項１に記載の窓用額縁の取付構造。
【請求項３】
前記掛止め部のスライド方向の係合寸法に対し、前記掛止受け部のスライド方向の係合寸法が長いことを特徴とする請求項１または２に記載の窓用額縁の取付構造。
【請求項４】
前記窓用額縁は、断面略「Ｃ」字状の部位を有する形材で構成され、前記額縁側ピースは、前記断面略「Ｃ」字状の部位の開放部を跨いでその両開放縁部間に設けられ、
前記額縁側ピースは、前記掛止め部を前記開放部に臨ませた状態で、一方の前記開放縁部の内面に添設される内側添設片部と、他方の前記開放縁部の内面に添設固定される固定片部と、前記内側添設片部との間で一方の前記開放縁部を挟持する外側添設片部とを有していることを特徴とする請求項２または３に記載の窓用額縁の取付構造。
【請求項５】
前記外側添設片部は、前記窓用額縁の長手方向に延設され、前記窓用額縁の各縦額縁に取り付けられる前記額縁側ピースは、前記外側添設片部が前記各縦額縁の端部からはみ出した状態で設けられていることを特徴とする請求項４に記載の窓用額縁の取付構造。
【請求項６】
前記額縁側ピースは、プレス成形品で構成され、
前記額縁側ピースの略中心位置には、ビス用の貫通孔を兼ねると共にプレス成形における位置決め用のパイロット孔が形成されていることを特徴とする請求項４または５に記載の窓用額縁の取付構造。
【発明の詳細な説明】
【０００１】
【発明の属する技術分野】
本発明は、出窓、外付け窓、半外付け窓等において、窓枠と共に駆体開口部に取り付けられる窓用額縁の取付構造に関する。
【０００２】
【従来の技術】
従来、この種の窓用額縁の取付構造として、例えば出窓に適用した特開平１１−３６７２４号公報に記載のものが知られている。この出窓では、窓用額縁の下額縁に相当する地板が、屋外側端部で窓枠の下枠にビス止めされ、屋内側端部で固定アングルを介して駆体開口部の窓台に固定されている。固定アングルは、地板と窓台との間に介設されており、屋内側の地板固定片で地板にビス止めされ、地板固定片から直角に延びる窓台固定片で窓台に釘打ちされている。そして、固定アングルの釘打ち部分等は、窓台と共に屋内側に施工される内装材により隠蔽されるようになっている。
【０００３】
【発明が解決しようとする課題】
ところで、出窓等の窓用額縁は屋内に大きく露出し、飾り棚的な機能を有している。このため、この種の窓用額縁では傷等の損傷を生じ易く、かかる場合に交換（付け替え）できることが好ましい。しかし、従来の窓用額縁（地板）では、固定アングルの釘打ち部分等が内装材により隠蔽されているため、窓用額縁（地板）を交換する場合には、この内装材を一部壊す必要があった。この種の内装材の張り替えは、作業が複数の業種に及ぶため、工程等が複雑になり、施工に時間がかかると共にコスト高になる問題があった。
【０００４】
本発明は、内装材の張り替えを必要とすることなく、窓用額縁を付け替え可能な窓用額縁の取付構造を提供することを目的とする。
【０００５】
【課題を解決するための手段】
本発明の窓用額縁の取付構造は、内装材との間にクリアランスを存して配設される窓用額縁を、取付金具を介して駆体開口部の内側に添設状態に取り付ける窓用額縁の取付構造において、取付金具は、クリアランス内に収まる突出寸法の掛止め部を有して窓用額縁に設けられる額縁側ピースと、掛止め部に対応する掛止受け部を有して駆体開口部に設けられる開口部側ピースとを有し、掛止受け部に対し掛止め部は、見付け方向に掛止めされ且つ見込み方向にスライド自在に係合していることを特徴とする。
【０００６】
この構成によれば、取付金具を構成する額縁側ピースおよび開口部側ピースにおいて、開口部側ピースの掛止受け部に対し額縁側ピースの掛止め部は、見付け方向に掛止めされ且つ見込み方向にスライド自在に係合している。このため、施工後であっても、駆体開口部から窓用額縁をスライドさせるように引き抜くだけで、開口部側ピースに対する額縁側ピースの掛止め状態を解くことができ、また逆に、駆体開口部に窓用額縁を、屋内側からスライド挿入するだけで、開口部側ピースに額縁側ピースを掛止め状態に係合させることができる。
一方、額縁側ピースの掛止め部が、内装材と窓用額縁との間のクリアランス内に収まる突出寸法となっているため、内装材の施工後であっても、窓用額縁をこのクリアランスを含む開口部分から屋内側に引き抜くことができる。なお、取付金具は、窓用額縁を構成する上額縁、下額縁および両縦額縁の各センター位置（長手方向の中間位置）に設けることが、好ましい。また、上記のクリアランスは、最終的に目地シール等で埋めることが、好ましい。
【０００７】
この場合、窓用額縁は、形材で構成され、額縁側ピースは、窓用額縁に一体に形成されていることが、好ましい。
【０００８】
この構成によれば、クリアランス内に収まる突出寸法の掛止め部を含む額縁側ピースを、形材の一部として簡単に形成することができ、部品点数や組付け工数を削減することができる。
【０００９】
これらの場合、掛止め部のスライド方向の係合寸法に対し、掛止受け部のスライド方向の係合寸法が長いことが、好ましい。
【００１０】
この構成によれば、駆体開口部への掛止め状態を適切に維持しつつ、窓用額縁の見込み方向の取付位置を簡単に微調節することができる。例えば、見込み方向において、窓用額縁の屋外側端を窓枠に、隙間無く適切に突き当てて設置することができる。
【００１１】
これらの場合、窓用額縁は、断面略「Ｃ」字状の部位を有する形材で構成され、額縁側ピースは、断面略「Ｃ」字状の部位の開放部を跨いでその両開放縁部間に設けられ、額縁側ピースは、掛止め部を開放部に臨ませた状態で、一方の開放縁部の内面に添設される内側添設片部と、他方の開放縁部の内面に添設固定される固定片部と、内側添設片部との間で一方の開放縁部を挟持する外側添設片部とを有していることが、好ましい。
【００１２】
この構成によれば、内側添設片部と外側添設片部とで断面略「Ｃ」字状の部位における一方の開放縁部を挟持し、固定片部で他方の開放縁部に添設固定することで、額縁側ピースを窓用額縁の長手方向の任意位置に、簡単に取り付けることができる。また、固定片部における添設固定個所が１箇所であっても、額縁側ピースを窓用額縁に適切に固定することができる。
【００１３】
この場合、外側添設片部は、窓用額縁の長手方向に延設され、窓用額縁の各縦額縁に取り付けられる額縁側ピースは、外側添設片部が各縦額縁の端部からはみ出した状態で設けられていることが、好ましい。
【００１４】
この構成によれば、縦額縁の上端部或いは下端部からはみ出した外側添設片部の一部が、横通しで設置される上額縁或いは下額縁の端面（小口）に当接することになり、額縁側ピースを介して、縦額縁を上額縁或いは下額縁に簡単に位置決めすることができる。特に、一部（地板としての下額縁）または全部が木質の窓用額縁であって、予め枠組みすることなく設置される窓用額縁には有用となる。
【００１５】
これらの場合、額縁側ピースは、プレス成形品で構成され、額縁側ピースの略中心位置には、ビス用の貫通孔を兼ねると共にプレス成形における位置決め用のパイロット孔が形成されていることが、好ましい。
【００１６】
曲げおよび切断等の複数の工程を経て成形されるプレス成形品では、各工程における位置決め用のパイロット孔を必要とする。この構成によれば、プレス成形品である額縁側ピースのパイロット孔をビス用の貫通孔として活用するようにしているため、例えば窓用額縁が木質材で構成されている場合に、このパイロット孔を利用して額縁側ピースを窓用額縁に固定することができる。したがって、額縁側ピースは、形材用と木質材用とを兼用することができる。なお、パイロット孔は、これに挿通させるビスを考慮し、プレス成形において周囲を絞り加工しておくことが、より好ましい。
【００１７】
【発明の実施の形態】
以下、添付図面を参照して、本発明の一実施形態に係る窓用額縁の取付構造を、キッチン等に設けられる張出し窓に適用した場合について説明する。図１の縦断面図および図２の横断面図に示すように、この張出し窓１は、屋外側に面して駆体開口部５０に取り付けた半外付けタイプの窓本体２と、屋内側に面して駆体開口部５０に取り付けた窓用額縁３とで構成されている。
【００１８】
窓本体２は、窓枠５と、引違いの外障子および内障子から成る障子（図示省略）とを備え、窓枠５は、上枠６、下枠７および左右の両縦枠８，８を枠組みして、構成されている。同様に、窓用額縁３は、上額縁１０、下額縁１１および左右の両縦額縁１２，１２を枠組みして、構成されている。そして、窓枠５は、ビスにより適宜駆体開口部５０に取り付けられる一方、窓用額縁３は、見込み方向の屋外側を窓枠５に取り付けられると共に、屋内側を取付金具４Ａを介して駆体開口部５０に取り付けられている。
【００１９】
大壁構造の壁体５１に構成した駆体開口部５０は、上部の窓まぐさ５２、下部の窓台５３および左右の両柱５４，５４で構成されている。壁体５１の屋外側は外装材５５で仕上げられ、外装材５５と窓枠５との間は目地シール（コーキング材）５６でシールされている。同様に、壁体５１の屋内側は内装材５７で仕上げられ、内装材５７と窓用額縁３との間のクリアランス５８も、目地シール（コーキング材）５９で埋められている。
【００２０】
窓枠５を構成する上枠６、下枠７および左右の両縦枠８，８は、いずれもアルミニウムの形材で構成されている。上枠６、下枠７および両縦枠８，８の屋内側の端部には、断面略「Ｌ」字状の連結片１４がそれぞれ形成されており、これら連結片１４は、周方向に連続し且つその表面が窓用額縁３の表面と面一となるように配設されている。そして、この連結片１４には、窓用額縁３の屋外側の端部か突き当てられ、且つこの状態でビス止めされている（図３参照）。
【００２１】
窓用額縁３の上額縁１０、下額縁１１および左右の両縦額縁１２，１２は、いずれもアルミニウムの形材で構成され、且つこれらは全く同一の断面形状を有している。図３に示すように、各額縁１０（１１，１２）は、主体を為す表面板１６と、表面板１６の屋内側端から所定の厚さとなるように折り返して屋外側に延びる縁取り部１７と、表面板１６の見込み方向の中間位置から直角に延び先端部が縁取り部１７に対峙するように屈曲する中間片部１８と、表面板１６の屋外側端から直角に延び先端部が中間片部１８と同向きに屈曲する奥側片部１９と、奥側片部１９の基部から窓枠５側に延びる連結受け片部２０とで、一体に形成されている。
【００２２】
連結受け片部２０は、窓枠５側に断面略「Ω」字状に延在しており、この連結受け片部２０の表側に接触するようにして、上記の窓枠５の連結片１４が連結されている。連結受け片部２０に形成した溝条部位２０ａは、固定ビス２１の径より幾分幅狭に形成されており、連結片１４を貫通してこの溝条部位２０ａに螺合した固定ビス（タッピングビス）２１により、窓枠５の連結片１４と窓用額縁３の連結受け片部２０とが、連結固定されている。すなわち、駆体開口部５０に固定された窓枠５に対し、その連結片１４に連結受け片部２０が重なるようにして窓用額縁３が挿入セットされ、窓空間内からの作業で螺合した固定ビス２１により、窓用額縁３の屋外側端部が窓枠５に固定されている。
【００２３】
一方、上記の表面板１６の屋内側半部、縁取り部１７および中間片部１８は、全体として断面略「Ｃ」字状を為している。すなわち、「Ｃ」字状の開放部２２を挟んで縁取り部１７の手前開放縁部１７ａと、中間片部１８の先方開放縁部１８ａとが対向している。この手前開放縁部１７ａと先方開放縁部１８ａとは、同厚に形成され且つ同位置で対向しており、この両開放縁部１７ａ，１８ａ間に渡すように、後述する取付金具４Ａの額縁側ピース２５が取り付けられている。
【００２４】
取付金具４Ａは、窓用額縁３に取り付けられる額縁側ピース２５と、駆体開口部５０に取り付けられる開口部側ピース２６とで構成されており、詳細は後述するが、開口部側ピース２６に対し額縁側ピース２５は、見付け方向に掛止めされ且つ見込み方向にスライド自在に係合している。取付金具４Ａは、窓用額縁３を駆体開口部５０に添設するものであり、各額縁１０，１１，１２の長手方向の中間位置に配設されている。すなわち、取付金具４Ａを介して、上額縁１０はそのセンター位置で窓まぐさ５２に、下額縁１１はそのセンター位置で窓台５３に、各縦額縁１２，１２はそのセンター位置で柱５４，５４に、それぞれ取り付けられている。もっとも、張出し窓１の間口寸法や高さ寸法により、取付金具４Ａの個数および取付位置は適宜調整される。
【００２５】
額縁側ピース２５は、ステンレス等の板材をプレス成形することにより形成されている。図４および図５に示すように、額縁側ピース２５は、一対の掛止め部２８，２８を左右対称位置に形成した略方形の本体プレート２９と、本体プレート２９からクランク状に屈曲して先方に短く延びる内側添設片部３０と、本体プレート２９からクランク状に屈曲して手前側に長く延びる固定片部３１と、本体プレート２９の両側からクランク状に屈曲して側方に延びる左右一対の外側添設片部３２，３２とで、一体に形成されている。
【００２６】
内側添設片部３０は、上記中間片部１８の先方開放縁部１８ａの厚み分、下方に屈曲し先方開放縁部１８ａの内面に添設しており、またこれに対応して、各外側添設片部３２，３２は、先方開放縁部２８ａの厚み分、上方に屈曲し先方開放縁部１８ａの外面に添設している。すなわち、額縁側ピース２５は中間片部１８の先方開放縁部１８ａに対し、その内側添設片部３０の先端を中間片部１８の内側面に突き当てた状態で、内側添設片部３０と両外側添設片部（の先端片部）３２，３２とにより、先方開放縁部１８ａを挟持している。
【００２７】
固定片部３１には、その中央に額縁側ピース２５を窓用額縁３に固定するためのリベット孔３４が形成されている。固定片部３１は、上記縁取り部１７の手前開放縁部１７ａの厚み分、下方に屈曲し手前開放縁部１７ａの内面に添設されており、この状態で手前開放縁部１７ａにリベット止めされている。すなわち、額縁側ピース２５は、その内側添設片部３０および両外側添設片部３２，３２を先方開放縁部１８ａに差し入れるように係合した後、固定片部３１を手前開放縁部１７ａの内面に添設して、リベット３５により固定されるようになっている。
【００２８】
この状態で本体プレート２９は、開放部２２に嵌め込まれるようにして臨むと共に、両開放縁部１７ａ，１８ａと面一に配設される。本体プレート２９の一対の掛止め部２８，２８は、本体プレート２９の一部を方形に切起こして形成されており、それぞれ断面「く」字を為して相互に向き合うように配設されている。この場合、一対の掛止め部２８の突出寸法（切起し寸法）は、窓用額縁３の外側の面と内装材５７の端面との間のクリアランス（目地シール５９の幅）５８内に納まる寸法となっており、窓用額縁３を駆体開口部５０から引き抜くときに、掛止め部２８が内装材５７につかえないようになっている。そして、額縁側ピース２５は、この一対の掛止め部２８，２８の先端片２８ａ，２８ａにより、開口部側ピース２６に掛止めされている。
【００２９】
また、一対の掛止め部２８，２８の中間に位置して本体プレート２９の中央には、プレス成形の際に用いる位置決め用のパイロット孔３６が形成されている。この場合、パイロット孔３６の周囲は、下面が固定片部３１の下面と面一となるように、皿孔形状に成形されている。詳細は後述するが、本実施形態では、額縁側ピース２５を木質材で構成された窓用額縁３に固定する場合には、上記のリベット孔３４とこのパイロット孔３６とを利用して、額縁側ピース２５を２箇所でビス止するようにしている（図６参照）。
【００３０】
一方、開口部側ピース２６は、額縁側ピース２５と同様に、ステンレス等の板材をプレス成形することにより形成されている。図４に示すように、開口部側ピース２６は、駆体開口部５０にビス止め固定される固定部３８と、上記額縁側ピース２５の掛止め部２８，２８に掛止される掛止め受け部３９とで、略「Ｌ」字状に一体に形成されている。固定部３８には、その中心線上にビス用の２つのばか孔４０，４０が形成されている。また、掛止め受け部３９には、その中央にプレス成形用のパイロット孔４１が形成されている。
【００３１】
固定部３８と掛止め受け部３９の折り曲げ部分には、この部分がくびれた形状となるように両側に切欠き部４２，４２が形成されている。この両側の切欠き部４２，４２により、掛止め受け部３９に対する掛止め部２８の自由なスライドが許容されている。掛止め受け部３９は、両側が略クランク状に屈曲し、全体として頂部が平坦な山形形状を為している。そして、この山形形状の裾野に相当する掛止め受け部３９の両張出し片３９ａ，３９ａに、上記額縁側ピース２５の両先端片２８ａ，２８ａが、見付け方向に掛止めされ且つ見込み方向にスライド自在に係合している（図５（ｃ）参照）。
【００３２】
ここで、実施形態の張出し窓の施工方法について、簡単に説明する。窓本体２および窓用額縁３は、それぞれ四周枠組みされた状態で現場に搬入される。外装材５５および内装材５７の施工に先立ち、先ず窓本体２を駆体開口部５０に固定する。次に、四周枠組みした窓用額縁３を屋内側から駆体開口部５０に挿入する。このとき、各取付金具４Ａの額縁側ピース２５を予め各額縁１０，１１，１２に固定しておく。また、開口部側ピース２６も、額縁側ピース２５に係合しておくことが、好ましい。
【００３３】
窓用額縁３を窓枠５に突き当てるように最奥まで挿入したら、固定ビス２１により、窓枠５の連結片１４と窓用額縁３の連結受け片部２０とをビス止めする。次に、窓用額縁３の屋内側を上下左右に位置合わせし、各開口部側ピース２６の固定部３８を駆体開口部５０に押し付けながらビス止めする。ここで、障子を窓枠５に装着してサッシ工事は完了する。その後、外装材５５と屋外側の目地シール５６が施工され、さらに内装材５７が施工されると共に、上記のクリアランス５８を埋めるべく屋内側の目地シール５９が施工される。
【００３４】
一方、いったん施工された窓用額縁３を交換する場合には、先ず窓用額縁３と内装材５７との間に施工した目地シール５９を取り除く。次に、窓枠５と窓用額縁３との連結部分に螺合した固定ビス２１を外し、窓用額縁３全体を駆体開口部５０から屋内側に引き抜くようにする。ここで、額縁側ピース２５を同位置に固定した新たな窓用額縁３を駆体開口部５０にスライド挿入し、窓枠５に連結固定する。また、この挿入により、額縁側ピース２５が開口部側ピース２６に掛止め状態となる。そして、再度、クリアランス５８を埋めるように目地シール５９を施工して、作業を完了する。
【００３５】
この場合、開口部側ピース２６に対し額縁側ピース２５は、見付け方向に掛止めされ且つ見込み方向にスライド自在に係合しており、また窓用額縁３から外側に突出する額縁側ピース２５の掛止め部２８は、その突出寸法が内装材５７との間のクリアランス５８以下の寸法となっている。このため、駆体開口部５０から引き抜かれる窓用額縁３は、クリアランス５８を含む窓空間を通過して引き抜かれ、内装材５７につかえることがない。したがって、目地シール５９のやり替えは必要になるものの、内装材５７のやり替えを必要とすることなく、窓用額縁３を付け替えことができ、窓用額縁３を簡単且つ短時間で交換することができる。
【００３６】
次に、図６を参照して、本発明の第２実施形態について説明する。この実施形態では、上額縁１０、下額縁１１および両縦額縁１２，１２のうち、下額縁１１が表面にステンレス板１１ａを貼着した地板様の木質材で構成されている。この場合、両縦額縁１２，１２における取付金具４Ａは、それぞれ各縦額縁１２，１２の下端部に配設されている。より具体的には、図７に示すように、取付金具４Ａの額縁側ピース２５は、その一方の外側添設片部３２が縦額縁１２の下端から幾分はみ出すようにして、縦額縁１２に固定されている。
【００３７】
第２実施形態の窓用額縁３では、形材で構成された上額縁１０、および両縦額縁１２，１２は、予めアーチ状に枠組みしてから駆体開口部５０に挿入セットされるが、地板様の下額縁１１はこれらとは別に挿入セットされる。また、両縦額縁１２，１２に対し下額縁１１は横通しで枠組みされる。このため、縦額縁１２の下端からはみ出した外側添設片部３２の一部は、枠組み状態で下額縁１１の小口に当接し、左右方向において両縦額縁１２，１２の下端部を下額縁１１に位置決めする。
【００３８】
したがって、各縦額縁１２，１２を下額縁１１に押し付けておいて、額縁側ピース２５に係合させた開口部側ピース２６を駆体開口部（この場合は柱５４）５０にビス止めすることで、両縦額縁１２，１２と下額縁１１とは、位置きめ状態で駆体開口部５０に固定されることになる。なお、各縦額縁１２を駆体開口部５０に固定する上記の取付金具４Ａは、張出し窓１の高さにもよるが、縦額縁１２のセンターに設ける取付金具４Ａとは別個に設けることが、好ましい。
【００３９】
一方、木質材の下額縁１１における額縁側ピース２５は、上記のリベット孔３５およびパイロット孔３６を貫通して下額縁１１の下面にねじ込んだ２本の固定ビス４４，４４により、取り付けられている。すなわち、これら実施形態の額縁側ピース２５は、形材および木質材に対し兼用タイプとなっている。なお、特に図示しないが、上額縁１０、下額縁１１および両縦額縁１２，１２を全て木質材で構成する場合にも、額縁側ピース２５を上記と同様の形態で取り付ける。
【００４０】
以上のように、この実施形態でも、窓用額縁３に固定した額縁側ピース２５は、その一対の掛止め部２８，２８が上記のクリアランス５８内に納まっており、下額縁１１を別個に取り外し且つ取り付けることになるが、窓用額縁３を、内装材５７を張り替えることなく交換することができる。
【００４１】
次に、図８を参照して、本発明の第３実施形態について説明する。この実施形態では、上記の第１および第２実施形態とは異なる取付金具４Ｂが用いられている。この取付金具４Ｂは、額縁側ピース２５が、形材で構成された窓用額縁３の一部で構成され、これに対応して、開口部側ピース２６はスペーサ片４５を有して略「Ｌ」字状に形成されている。
【００４２】
開口部側ピース２６は、折り曲げたステンレス板等で構成さると共に、図８（ｂ）に示すように、駆体開口部５０にビス止め固定される固定部３８と、額縁側ピース２５に掛止される掛止め受け部３９とで、略「Ｌ」字状に一体に形成されている。また、掛止め受け部３９には、その側部を外側に折り曲げるようにして形成したスペーサ片４５が形成されている。そして、この開口部側ピース２６は、掛止め受け部３９を屋内側に向けるようにして、駆体開口部５０にビス止めされている。
【００４３】
一方、各額縁１０，１１，１２は、中間片部１８に相当する部分が、短く形成され且つ縁取り部１７の位置まで屋内側に寄った位置に形成されている。また、奥側片部１９が省略され、連結受け片部２０が表面板１６の端に連なって形成されている。すなわち、縁取り部１７は、中間片部１８および連結受け片部２０に対し、駆体開口部５０側に突出しており、この突出部分が額縁側ピース２５を兼ねている。
【００４４】
中間片部１８の先端と、縁取り部１７の手前開放縁部１７ａに相当する部分は、間隙４６を存して対峙しており、この間隙４６に開口部側ピース２６の掛止め受け部３９が挿入されるようにして、開口部側ピース２６に対し額縁側ピース２５が、見付け方向に掛止めされ且つ見込み方向にスライド自在に係合している。そして、この場合には、窓用額縁３を引き抜くときに、開口部側ピース２６のスペーサ片４５に、中間片部１８および連結受け片部２０のいずれもつかえることがなく、窓用額縁３を、内装材５７を張り替えることなく交換することができる。
【００４５】
なお、本発明の取付金具４Ａ，４Ｂは、見付け方向に掛止めされ且つ見込み方向にスライド自在に係合しているものであればよく、上記実施形態のものに限定されるものではない。例えば、図９に第４実施形態として示すようなものであってもよい。この取付金具４Ｃは、開口部側ピース２６が、固定部３８と掛止め受け部３９とでＬ」字状に形成されると共に、掛止め受け部３９の一方の側部（下方）に延設片４８を一体に有している。これに対応して、額縁側ピース２５は、断面クランク状に形成され、その先端部４９で延設片４８に掛止めされている。
【００４６】
【発明の効果】
以上のように本発明の窓用額縁の取付構造によれば、開口部側ピースの掛止受け部に対し額縁側ピースの掛止め部は、見付け方向に掛止めされ且つ見込み方向にスライド自在に係合し、且つ掛止め部が、内装材と窓用額縁との間のクリアランス内に収まる突出寸法となっている。このため、内装材の施工後であっても、窓用額縁を、クリアランスを含む開口部分から適切に取り外しおよび取り付けすることができる。すなわち、内装材の張り替えを必要とすることなく、窓用額縁を簡単に付け替える（交換）ことができ、窓用額縁のメンテナンス性を向上させることができる。
【図面の簡単な説明】
【図１】第１実施形態に係る張出し窓の縦断面図である。
【図２】第１実施形態に係る張出し窓の横断面図である。
【図３】窓用額縁を駆体開口部に取り付けるための取付金具廻りの拡大断面図である。
【図４】窓用額縁を駆体開口部に取り付けるための取付金具廻りの斜視図である。
【図５】取付金具の額縁側ピースの構造図である。
【図６】第２実施形態に係る張出し窓の縦断面図である。
【図７】縦額縁に取り付けた取付金具廻りの斜視図である。
【図８】第３実施形態に係る張出し窓の縦断面図である。
【図９】第４実施形態に係る張出し窓の取付金具廻りの構造図である。
【符号の説明】
１  張出し窓、２  窓本体、３  窓用額縁、４Ａ，４Ｂ，４Ｃ  取付金具、１０  上額縁、１１  下額縁、１２  縦額縁、１６  表面板、１７  縁取り部、１７ａ  手前開放縁部、１８  中間片部、１８ａ  先方開放縁部、２２  開放部、２５  額縁側ピース、２６  開口部側ピース、２８  掛止め部、３０  内側添設片部、３１  固定片部、３２  外側添設片部、３６  パイロット孔、３８  固定部、３９  掛止め受け部、５０  駆体開口部、５２  窓まぐさ、５３  窓台、５４  柱、５７  内装材、５８  クリアランス、５９  目地シール
【図１】
0003586228.tif 000002
【図２】
0003586228.tif 000003
【図３】
0003586228.tif 000004
【図４】
0003586228.tif 000005
【図５】
0003586228.tif 000006
【図６】
0003586228.tif 000007
【図７】
0003586228.tif 000008
【図８】
0003586228.tif 000009
【図９】
0003586228.tif 000010